(57)【特許請求の範囲】
【請求項１】
所定間隔に切り込みが入れられた複数の切り込み列からなるジッパーであって、隣り合う前記切り込み列の切り込みは、互いにずれるように切り込まれ、前記ジッパーの開封時、紙面と平行に開封片を引っ張ることにより前記ジッパーを破断開封することを特徴とする易開封ジッパー。
【請求項２】
前記切り込み列が偶数列であることを特徴とする請求項１に記載の易開封ジッパー。
【請求項３】
前記切り込み列が山型に切り込まれていることを特徴とする請求項１に記載の易開封ジッパー。
【請求項４】
前記山型に切り込まれた切り込み列は、山の高さが異なるように設けられていることを特徴とする請求項３に記載の易開封ジッパー。
【発明の詳細な説明】
【０００１】
【発明の属する技術分野】
本発明は、内容物を包装したカートンを開封する開封手段などに利用できるジッパー類に関するものであり、特にジッパーが設けられた紙板の面と平行な方向に力を加えるだけで、容易にジッパーを破断することができる易開封ジッパーに関するものである。
【０００２】
【従来の技術】
従来より、内容物を包装したカートンを開封する開封手段として、ミシン目やジッパーを設けることがよく知られている。
そして、例えば図７で示すように、不正開封を防止するための手段が施されているカートン（６）の場合は、ミシン目（７）で囲まれた部分の開封片（８）をカートン（６）内に向かって押圧することによって、そのミシン目（７）を切断し、カートン（６）を開封する。
つまり、ミシン目（７）が設けられた紙板の面と垂直な方向に力を加えてミシン目（７）を切断し、次いでその紙板の面と平行な方向に力を加えてカートン（６）を開封する。
【０００３】
【発明が解決しようとする課題】
しかしながら、このような開封手段としてのミシン目（７）にあっては、内容物が固形物状、例えば板チョコレートのような場合には、板チョコレートとカートンの間に隙間がなく、カートン内に向かって垂直方向に力を加えることができず、開封し難いのが現状である。
そこで、本発明は、紙板の面と垂直な方向に力を加えず、その面と平行な方向に力を加えるだけで容易に破断することができる易開封ジッパーを得ることを目的とするものである。
【０００４】
【課題を解決するための手段】
本発明は以上のような目的を達成するために、次のような易開封ジッパーを提供するものである。すなわち、所定間隔に切り込みが入れられた複数の切り込み列からなり、隣り合う切り込み列の切り込みは、互いにずれるように切り込まれ、前記ジッパーの開封時、紙面と平行に開封片を引っ張ることにより前記ジッパーを破断開封することを特徴とする易開封ジッパーである。そして、その切り込み列を偶数列とし、切り込み列の切り込みを山型にするとともに、その山型に切り込んだ切り込み列の山の高さを異なるようにすることが望ましい。
【０００５】
【発明の実施の形態】
以下、本発明の実施の形態について、図面に示す実施例を基に説明する。
図１は本発明にかかる易開封ジッパーの平面図であり、図２はその易開封ジッパーを破断する途中の状態を示す平面図である。
図３は同じくその拡大斜視図であり、図４はジッパーが破断される様子を示す説明図である。
また、図５は切り込みの入れ方が異なる易開封ジッパーの平面図であり、図６は実際に易開封ジッパーを設けたカートンの１実施例を示す斜視図である。
本発明の易開封ジッパーは、固形物状の内容物を包装するカートンの開封手段や、カートン内に貼り付けられた内袋を剥離する手段など、用途に応じて幅広く適用することができるものであるが、ここでは、カートンの開封手段として利用する場合を例にとって説明をする。
【０００６】
まず、本発明の易開封ジッパーの基本的な構造から説明する。
この易開封ジッパーは、所定間隔に切り込みが入れられた複数の切り込み列で構成されるもので、隣り合う切り込み列の切り込みは、互いにずれるように切り込まれている。
すなわち、図１で示すように、カートンを構成する紙板（１）に形成された開封片（２）の先端側から第１切り込み列（１１）、第２切り込み列（１２）、第３切り込み列（１３）とすると、この易開封ジッパー（１０）は、第１切り込み列（１１）の切り込み（１１ａ）と切り込み（１１ｂ）の間及び第３切り込み列（１３）の切り込み（１３ａ）と切り込み（１３ｂ）の間と、第２切り込み列（１２）の切り込み（１２ａ）のほぼ中央部がそれぞれ互いに対向するように設けられている。
【０００７】
つまり、図１において、第１切り込み列（１１）の切り込み（１１ａ）と第２切り込み列（１２）の切り込み（１２ａ）には、互いにオーバーラップする部分（Ｌ）が存在するように易開封ジッパーが構成されており、このように切り込みを入れることが本発明の特徴とするところである。
なお、切り込み列と切り込み列の間隔（Ｗ）及び対向する切り込みがオーバーラップする部分（Ｌ）の長さは、紙質や紙厚などによって適宜決めればよいものであって、図示のものに限定されるものではない。
【０００８】
このような構成の易開封ジッパー（１０）によれば、紙板（１）の面と垂直な方向に力を加えることなく、その面と平行な方向に力を加えるだけで容易にジッパーを破断することができるようになるが、次にその説明をする。
図２で示すように、開封片（２）を板紙（１）より外方に向かって引っ張るように、紙板（１）の面と平行な方向に力を加えると、第１切り込み列（１１）と第２切り込み列（１２）及び第２切り込み列（１２）と第３切り込み列（１３）によって、易開封ジッパー（１０）は一旦拡開する。
【０００９】
この状態における拡大斜視図を図３で示す。この図３で示すように、第１切り込み列（１１）の切り込み（１１ａ）及び切り込み（１１ｂ）と、第２切り込み列（１２）の切り込み（１２ａ）によって形成される破断片（１４）は、切り込み（１１ａ）と切り込み（１１ｂ）の間の連接部分（１１ｃ）を中心に谷折りに折れ曲がるとともに、開封片（２）側から上方に向かって回動して垂直に起き上がろうとする。
そして、第２切り込み列（１２）の切り込み（１２ａ）と、第３切り込み列（１３）の切り込み（１３ａ）と切り込み（１３ｂ）によって形成される破断片（１５）は、前述と反対に、切り込み（１３ａ）と切り込み（１３ｂ）の間の連接部分（１３ｃ）を中心に山折りに折れ曲がるとともに、紙板（１）の内方側から下方に向かって回動して垂直に起き上がろうとする。
【００１０】
すると、図４（イ）で示すように、第２切り込み列（１２）の端部の連接部分（１２ｂ）は、垂直に起立するようにねじ曲げられて、左右方向に向かう力によって引き裂かれるようになり、更に力を加えることによって、図４（ロ）で示すように、破断される。
つまり、このような現象が切り込み列（１２）の切り込み間隔毎に起きることによって、最終的にジッパー（１０）全体が破断されるのである。
しかして、ジッパー（１０）が設けられた紙板（１）の面と平行な方向に開封片（２）を引っ張ると、図４（ロ）で示すように、ジッパー（１０）が紙板（１）の面に対してほぼ垂直方向に起立し、面と平行な方向に加えていた力が、ジッパー部分においては結果的に面と垂直な方向に加えられることになって、ジッパー（１０）が破断されるのである。
【００１１】
なお、実際には、各切り込み列における切り込みと切り込みの間の連接部分の間隔が狭い部分から破断されていくことになるが、真ん中の第２切り込み列（１２）における切り込みと切り込みの間の連接部分の間隔を、両側の第１切り込み列（１１）及び第３切り込み列（１３）における切り込みと切り込みの間の連接部分の間隔より狭くなるようにすれば、前述の説明のように、第２切り込み列（１２）の連接部分から破断される。
何れにしても、切り込みと切り込みの間隔や紙質、紙厚、加える力などによって、破断される箇所はまちまちであるが、ジッパーの切り込みが入れられた部分の１つ１つは、今説明したようにほぼ垂直に起立して破断される。
【００１２】
また、不用意にジッパーが破断されないように、切り込みと切り込みの間の間隔はある程度の長さを有するようにしておくことが必要があるが、本発明のジッパーにおいては、その間隔が長くても容易に破断することができる。
また、図示のものは説明の便宜上、切り込み列が３列設けられているが、切り込み列は最低２列あればよく、２列以上であれば何列でもよいが、奇数列よりは偶数列の方が破断しやすい。
【００１３】
また、図５で示すように、易開封ジッパー（１０）を連続する複数の山型形状にすると、更に破断しやすくなってよい。
すなわち、山型形状に切り込みを入れると、斜め方向に切り込みが入れられるため、開封片（２）を引っ張る力の方向に対して直角の方向にしかない直線状の切り込みに比べて、力にあまり逆らわないようにジッパー部分を起立させることができ、直線状の切り込み列よりも早く垂直に起立させることができる。
したがって、直線状に切り込みを入れるよりは、山型に切り込みを入れた方が、垂直に起立させやすい分、少ない力で、より早くジッパー（１０）を破断することができるのである。
【００１４】
また、図５の（イ）、（ロ）で示すように、両側部に向かう方の高さが中央部の高さより低くなっていく山型に切り込んだり、図５の（ハ）で示すように、両側部に向かう方の高さが中央部の高さより高くなっていく山型に切り込んだりして、それぞれ山の高さを異なるようにすると、更にジッパーを破断しやすくなる。
これは、破断される連接部分に時間差が生じるためであり、開封片（２）を引っ張る力が１〜２箇所ずつに分散されてかかるようになるからである。
なお、山型の形状は、図示のものに限定されるものではなく、任意に設計変更して構わない。
【００１５】
以上、このような構成の易開封ジッパー（１０）によれば、ジッパー（１０）が設けられている面と垂直な方向に力を加える必要がなく、その面と平行な方向に加える力のみできわめて容易にジッパー（１０）を破断することができるため、例えば板チョコレート等の固形物状を包装するカートンの開封手段や、図６で示すように、開口部（５）が穿設されている中板（４）を上方に引き上げることによって開封するカートン（３）の場合などにおける開封手段として、特に好適なジッパーとなる。
なお、繰り返して言うが、本発明にかかるジッパーを構成する切り込み列や切り込みの間隔、形状等は、ジッパーが設けられる紙質、紙厚等に左右されるため、特に限定されるものではなく、ジッパーを破断することが容易に行えるようになっていれば、本発明の精神の範囲内において、適宜設計変更して構わないものである。
【００１６】
【発明の効果】
本発明によれば、所定間隔に切り込みが入れられた複数の切り込み列の隣り合う切り込み列の切り込みを、互いにずれるように切り込むことによって、ジッパーが設けられている紙板の面と垂直な方向に力を加えることなく、その面と平行な方向に力を加えるだけで、きわめて容易にジッパーを破断することができるようになる。
したがって、例えば板チョコレート等の固形物状のものを包装したカートンを開封するときなど、内容物とカートンとの間に隙間がないような場合に、特に好適な開封手段として利用することができる。
【００１７】
また、その切り込み列が偶数列であると、更に破断しやすくなるし、切り込み列が山型に切り込まれていると、開封しようとする力にあまり逆らわないで破断することができるため、少ない力で、より早くジッパーを破断することができる。
また、山型に切り込まれた切り込み列の山の高さを異なるように設けると、破断される箇所に時間差が生じて力が分散されるため、更に少ない力で早く破断することができる。
【図面の簡単な説明】
【図１】本発明にかかる易開封ジッパーの平面図
【図２】易開封ジッパーを破断する途中の状態を示す説明図
【図３】同上の拡大斜視図
【図４】同上のジッパーが破断される様子を示す説明図
【図５】切り込みの入れ方が異なる易開封ジッパーの平面図
【図６】実際に易開封ジッパーを設けたカートンを示す斜視図
【図７】従来の開封手段を示す斜視図
【符号の説明】
１０  易開封ジッパー
１１    切り込み列
１１ａ  切り込み
１１ｂ  切り込み
１１ｃ  連接部分
１２    切り込み列
１２ａ  切り込み
１２ｂ  連接部分
１３    切り込み列
１３ａ  切り込み
１３ｂ  切り込み
１３ｃ  連接部分
【図１】
0003936787.tif 000002
【図２】
0003936787.tif 000003
【図３】
0003936787.tif 000004
【図４】
0003936787.tif 000005
【図５】
0003936787.tif 000006
【図６】
0003936787.tif 000007
【図７】
0003936787.tif 000008